(57)【要約】【課題】おもちゃの収納に加えて、不必要な場合には簡単にスペースをとらないように折り畳め、しかも、ボール遊び等の各種遊びも可能なプレイ・トイボックスを提供する。【解決手段】箱体１０は、前後両側対向壁１２，１３及び幅方向に２つ折り可能な左右両側対向壁１４、１５からなる矩形筒状周壁１０ａと、当該矩形筒状周壁１０ａの下側開口部を閉じる底壁１０ｂとを備える。プレイマット２０は、箱体１０の前側対向壁部１２と同様の外形形状を有して当該前側対向壁部１２の下縁部から折り曲げ可能に延出する基端側マット部２０ａと、箱体１０の上側開口部１１の開口形状と同様の外形形状を有して、基端側マット部２０ｂの延出端部から折り曲げ可能に延出する中側マット部２０ｂと、当該中側マット部２０ｂの延出端部から折り曲げ可能に延出する先端側マット部２０ｃとを備える。【選択図】  図１
2018027160.tif 000002
【特許請求の範囲】
【請求項１】
おもちゃを収納する箱体と、プレイマットとを備えるプレイ・トイボックスであって、
前記箱体は、前後両側対向壁部及び当該前後両側対向壁部の厚さ方向に折り曲げ可能な左右両側対向壁部からなる矩形筒状周壁と、当該矩形筒状周壁の下側開口部を閉じる底壁とを備えており、
前記プレイマットは、前記箱体の前記前側対向壁部と同様の外形形状を有して当該前側対向壁部の下縁部から折り曲げ可能に延出する第１マット部と、前記箱体の上側開口部の開口形状と同様の外形形状を有して、前記第１マット部の延出端部から折り曲げ可能に延出する第２マット部とを備えており、
前記矩形筒状周壁の左右両側対向壁部は２つ折り可能な形状に形成されるとともに、前記底壁は、変形可能な材料でもって形成されており、
前記矩形筒状周壁の前記前側対向壁部は、その左右方向下縁中間部位から上下方向中間部位にかけて切り欠くことで、通り穴部を形成してなるプレイ・トイボックス。
【請求項２】
前記矩形筒状周壁は、その前記左右方向両側対向壁部の各々にて、前後両側折り畳み壁部でもって構成されていることを特徴とする請求項１に記載のプレイ・トイボックス。
【請求項３】
前記プレイマットは、さらに、前記箱体の前記後側対向壁部と同様の外形形状を有し前記第２マット部の延出端部から折り曲げ可能に延出する第３マット部を備えることを特徴とする請求項１または２に記載のプレイ・トイボックス。
【請求項４】
前記箱体の前記矩形筒状周壁は、その前記前後両側対向壁部及び前記左右両側対向壁部の各々の前記前後両側折り畳み壁部にて、それぞれ柔軟な材料からなる表皮及び裏皮と、これら表皮及び裏皮の間に挟持される芯板とでもって構成されており、
前記プレイマットの前記第１、第２及び第３のマット部は、それぞれ、柔軟な材料からなる表皮及び裏皮と、これら表皮及び裏皮の間に挟持される芯板とでもって構成されていることを特徴とする請求項３に記載のプレイ・トイボックス。
【請求項５】
前記プレイマットの内面には、当該プレイマットを平らなマットの状態に展開して遊ぶときに有用な絵柄が描かれていることを特徴とする請求項１〜４のいずれか１つに記載のプレイ・トイボックス。
【請求項６】
前記矩形筒状周壁内に挿入されて前記底壁上に載置される補強板を備えることを特徴とする請求項１〜５のいずれか１つに記載のプレイ・トイボックス。
【発明の詳細な説明】
【技術分野】
【０００１】
本発明は、おもちゃの収納に加えて、プレイマットを用いた遊びも可能なプレイ・トイボックスに関する。
【背景技術】
【０００２】
従来、おもちゃを収納する収納箱、いわゆるトイボックスとしては、下記特許文献１に記載のものが提案されている。このトイボックスは、合成樹脂製の組立式おもちゃ箱であって、合成樹脂製の組立式おもちゃ箱の変形し易いという欠点を解消しようとするものである。
【先行技術文献】
【特許文献】
【０００３】
【特許文献１】特開平７−１６３７６７号公報
【発明の概要】
【発明が解決しようとする課題】
【０００４】
しかしながら、上述のおもちゃ箱は、小売店から家庭までの持ち運びや在庫管理時に分解できるという長所を活かすために組立式を採用したものであるため、組立後、必要でなくなった場合に、簡単にスペースをとらないように畳んで片付けられるようには構成されていない。
【０００５】
また、幼児が上述のおもちゃ箱の中のおもちゃを取り出して遊ぶにしても、当該おもちゃ箱は、おもちゃの収納のみを目的としているため、例えば、ボール遊びをしたいという幼児の希望には応えられない。
【０００６】
本発明は、以上のようなことに対処するため、おもちゃの収納に加えて、不必要な場合には簡単にスペースをとらないように折り畳め、しかも、ボール遊び等の各種遊びも可能なプレイ・トイボックスを提供することを目的とする。
【課題を解決するための手段】
【０００７】
上記課題の解決にあたり、本発明に係るプレイ・トイボックスは、請求項１の記載によれば、おもちゃを収納する箱体（１０）と、プレイマット（２０）とを備える。
【０００８】
当該プレイ・トイボックスにおいて、
箱体は、前後両側対向壁部（１２、１３）及び当該前後両側対向壁部の厚さ方向に折り曲げ可能な左右両側対向壁部（１４、１５）からなる矩形筒状周壁（１０ａ）と、当該矩形筒状周壁の下側開口部を閉じる底壁（１０ｂ）とを備えており、
プレイマットは、箱体の上記前側対向壁部（１２）と同様の外形形状を有して当該前側対向壁部の下縁部から折り曲げ可能に延出する第１マット部（２０ａ）と、箱体の上側開口部の開口形状と同様の外形形状を有して、上記第１マット部の延出端部から折り曲げ可能に延出する第２マット部（２０ｂ）とを備えており、
上記矩形筒状周壁の上記左右両側対向壁部は２つ折り可能な形状に形成されるとともに、上記底壁は、変形可能な材料でもって形成されており、
上記矩形筒状周壁の上記前側対向壁部は、その左右方向下縁中間部位から上下方向中間部位にかけて切り欠くことで、通り穴部（１２ａ）を形成してなるものである。
【０００９】
これによれば、上述のごとく、矩形筒状周壁の左右両側対向壁は２つ折り可能な形状に形成されるとともに、底壁は、変形可能な材料でもって形成されている。このため、左右両側対向壁部を折り畳み、これに伴い、底壁が変形することで、箱体はコンパクトな折り畳み形状になる。従って、このように折り畳んだ箱体状にプレイマットを折り畳んで載置することで、プレイ・トイボックスを扁平なコンパクト形状にすることができる。その結果、当該プレイ・トイボックスの片付けの際にとるスペースを大幅に軽減させることができる。
【００１０】
また、上述のように折り畳んであるプレイ・トイボックスを用いて遊ぶ場合には、折り畳んだプレイマットを平面状にのばすとともに、箱体の左右両側対向壁部の各前後両側折り畳み壁部を箱体の外側へ押すことで、箱体を矩形筒状に組み立てる。これにより、プレイ・トイボックスを遊び可能な状態にすることができる。
【００１１】
これに伴い、幼児は、プレイマットの内面上において、例えば、ボールを転がして通り穴部に入れるというボール入れ遊びをすることができる。
【００１２】
また、ボール入れ遊び後、プレイ・トイボックスを収納箱として利用する場合には、ボールなどのおもちゃを箱体の中に収納し、然る後、プレイマットの第１マット部を折り曲げて箱体の前側対向壁部をその前側から閉じ、ついで、第２マット部を折り曲げて箱体の上側開口部をその上側から閉じる。これにより、プレイ・トイボックスをおもちゃの収納箱として利用することができる。なお、第２マット部の延出端部を箱体の上側開口部の後縁部に着脱可能に固定することで、箱体を閉鎖状態に維持することができる。
【００１３】
以上によれば、当該プレイ・トイボックスは、サッカーボール等のおもちゃを収納する収納箱としての役割に加え、プレイマットを利用してサッカー遊び等の遊びをするお遊びツールとしての役割をも兼ね備える。従って、プレイ・トイボックスによれば、別途、お遊び用のプレイマットを準備する必要もなく、幼児は、おもちゃの収納に加えて、サッカー遊び等の遊びをもすることができ、非常に便利である。
【００１４】
また、本発明は、請求項２の記載によれば、請求項１に記載のプレイ・トイボックスにおいて、
上記矩形筒状周壁は、その上記左右方向両側対向壁部の各々にて、前後両側折り畳み壁部（１４ａ、１４ｂ、１５ａ、１５ｂ）でもって構成されていることを特徴とする。
【００１５】
このように、左右方向両側対向壁部を構成することで、請求項１に記載の発明の作用効果がより一層具体的に達成され得る。
【００１６】
また、本発明は、請求項３の記載によれば、請求項１または２に記載のプレイ・トイボックスにおいて、
プレイマットは、さらに、箱体の上記後側対向壁部と同様の外形形状を有し上記第２マット部の延出端部から折り曲げ可能に延出する第３マット部を備えることを特徴とする。
【００１７】
これによれば、プレイ・トイボックスを収納箱として利用する場合に、プレイマットは、第３マット部にて箱体の後側対向壁部をその後側から閉じることで、箱体の閉鎖を、より一層良好に行い得る。なお、第３マット部の延出端部を後側対向壁部の下縁部にファスナー等により着脱可能に固定することで、箱体の閉鎖がより一層向上され得る。
【００１８】
また、本発明は、請求項４の記載によれば、請求項３に記載のプレイ・トイボックスにおいて、
箱体の上記矩形筒状周壁は、その上記前後両側対向壁部及び上記左右両側対向壁部の各々の上記前後両側折り畳み壁部にて、それぞれ柔軟な材料からなる表皮及び裏皮と、これら表皮及び裏皮の間に挟持される芯板とでもって構成されており、
プレイマットの上記第１、第２及び第３のマット部は、それぞれ、柔軟な材料からなる表皮及び裏皮と、これら表皮及び裏皮の間に挟持される芯板とでもって構成されていることを特徴とする。
【００１９】
これにより、請求項３に記載の発明の作用効果がより一層向上され得る。
【００２０】
また、本発明は、請求項５の記載によれば、請求項１〜４のいずれか１つに記載のプレイ・トイボックスにおいて、
プレイマットの内面には、当該プレイマットを平らなマットの状態に展開して遊ぶときに有用な絵柄が描かれていることを特徴とする。
【００２１】
これにより、幼児がプレイ・トイボックスでの遊びにより一層興味を抱くようになる。その結果、請求項１〜４に記載の発明の作用効果がより一層向上され得る。
【００２２】
ここで、有用な絵柄とは、例えば、箱体の前側対向壁部の開口部をゴールとして想定する場合には、サッカーのフィールドを表す絵柄であり、収納部の第１周壁の切欠き前側対向壁部の開口部をトンネルまたは車庫の入り口として想定する場合には、道路を表す絵柄である。
【００２３】
また、本発明は、請求項６の記載によれば、請求項１〜５のいずれか１つに記載のプレイ・トイボックスにおいて、
上記矩形筒状周壁内に挿入されて上記底壁上に載置される挿入される補強板（３０）を備えることを特徴とする。
【００２４】
これにより、箱体の変形が、補強版により防止され得る。その結果、請求項１〜５のいずれか１つに記載の発明の作用効果がより一層確実に達成され得る。
【図面の簡単な説明】
【００２５】
【図１】本発明に係るプレイ・トイボックスの一実施形態をプレイマットの展開状態にて示す斜視図である。
【図２】図１のプレイ・トイボックスの箱体内に着脱可能に設置される補強板の斜視図である。
【図３】図１のプレイ・トイボックスを、箱体のプレイマットによる閉状態にて示す斜視図である。
【図４】図１のプレイ・トイボックスを折り畳んだ状態にて示す斜視図である。
【発明を実施するための形態】
【００２６】
以下、本発明の一実施形態を図面に基づいて詳細に説明すると、図１は、本発明に係るプレイ・トイボックスの一実施形態を示している。
【００２７】
当該プレイ・トイボックス（以下、トイボックス１という）は、箱体１０と、プレイマット２０とによって構成されている。
【００２８】
箱体１０は、その上側開口部１１（図１参照）からおもちゃを収納するようになっており、当該箱体１０は、図１及び図３のいずれかにて示すごとく、矩形筒状周壁１０ａ及び底壁１０ｂでもって、箱状に構成されている。
【００２９】
周壁１０ａは、前後両側対向壁部１２、１３及び左右両側対向壁部１４、１５でもって矩形筒状に形成されている。
【００３０】
ここで、前後両側対向壁部１２、１３のうち、前側対向壁部１２は、半円状通り穴部１２ａを有しており、当該半円状通り穴部１２ａは、図１にて示すごとく、前側対向壁部１２の左右方向中間部位下部から上下方向中間部位にかけて上方へ半円状に立ち上がるように切り欠き形成されている。
【００３１】
後側対向壁部１３は、前側対向壁部１２と同一の外形形状を有しており、当該後側対向壁部１３は、前側対向壁部１２とともに、それぞれ、互いに独立した厚紙からなる芯板（図示しない）を、柔軟な生地（例えば、ポリエステルからなる不織布）からなる表皮、裏皮及び上下両側縁取り帯でもって一体的に被覆して形成されている。
【００３２】
一方、左右両側対向壁部１４、１５は、互いに同一の外形形状を有するが、当該左右両側対向壁部１４、１５は、前後両側対向壁部１２、１３と同一の高さを有するものの、当該前後両側対向壁部１２、１３の左右方向幅よりも狭い前後方向幅を有するように形成されている。
【００３３】
また、左右両側対向壁部１４、１５は、図１から明らかなように、それぞれ、幅方向中央にて、２つ折り可能となっている。当該左右両側対向壁部１４、１５のうち、左側周壁部１４は、前後両側折り畳み壁部１４ａ、１４ｂでもって形成されており、当該前後両側折り畳み壁部１４ａ、１４ｂは、それぞれ、互いに独立した厚紙からなる芯板（図示しない）を、上述した柔軟な生地からなる表皮、裏皮及び上下両側縁取り帯でもって一体的に被覆して形成されている。
【００３４】
これにより、前後両側折り畳み壁部１４ａ、１４ｂは、左側対向壁部１４を、その幅方向中央にて、折り畳み可能となっている。なお、前後両側折り畳み壁部１４ａ、１４ｂの境界に対する表皮及び裏皮の各部位は、その高さ方向に沿い、相互に縫製されて、前後両側折り畳み壁部１４ａ、１４ｂの各芯板を相互に隔離している。このため、上述のように前後両側折り畳み壁部１４ａ、１４ｂは折り畳み可能となっている。
【００３５】
一方、右側周壁部１５は、前後両側折り畳み壁部１５ａ、１５ｂでもって形成されており、当該前後両側折り畳み壁部１５ａ、１５ｂは、前後両側折り畳み壁部１４ａ、１４ｂと同様に、それぞれ、互いに独立した厚紙からなる芯板（図示しない）を上述した柔軟な生地からなる表皮、裏皮及び上下両側縁取り帯でもって一体的に被覆して形成されている。なお、前後両側折り畳み壁部１５ａ、１５ｂの境界に対する表皮及び裏皮の各対応部位は、その高さ方向に沿い、相互に縫製されて、前後両側折り畳み壁部１５ａ、１５ｂの各芯板を相互に隔離している。このため、上述のように前後両側折り畳み壁部１５ａ、１５ｂは折り畳み可能となっている。
【００３６】
なお、不織布からなる短冊状の持ち手１４ｃが、図１にて示すごとく、前後両側折り畳み壁部１４ａ、１４ｂに跨いで鋲着されており、また、不織布からなる短冊状の持ち手（図示しない）が、前後両側折り畳み壁部１５ａ、１５ｂに跨いで鋲着されている。
【００３７】
本実施形態において、上述した前後両側対向壁部１２、１３及び左右両側対向壁部１４、１５の各表皮及び各裏皮は、それぞれ、その全体に亘り、上述した柔軟な生地の一枚構成にて、一体的に形成されている。
【００３８】
これに伴い、前側対向壁部１２と左右両側対向壁部１４、１５との各境界及び後側対向壁部１３と左右両側対向壁部１４、１５との各境界に対する表皮及び裏皮の各対応部位は、それぞれ、その高さ方向に沿い、相互に縫製されて、前後両側対向壁部１２、１３及び左右両側対向壁部１４、１５の各芯板を相互に隔離している。これにより、左右両側対向壁部１４、１５は、各両前後両側折り畳み壁部１４ａ、１４ｂ、１５ａ、１５ｂにて、前後両側対向壁部１２、１３に対し左右方向に折れ曲がり可能となっている。
【００３９】
また、上述した上下両側縁取り帯のうち、上側縁取り帯は、横断面逆Ｕ字状に折り曲げられて、図１にて符号１８ａにより示すごとく、前後両側対向壁部１２、１３及び左右両側対向壁部１４、１５の各上縁部に対応する表皮及び裏皮の各上縁部を、その全体に亘り挟持するようにして、縫製されている。
【００４０】
ここで、当該縫製は次のようにして行われている。即ち、上側縁取り帯１８ａは、その一側折り曲げ部及び他側折り曲げ部にて、それぞれ、前後両側対向壁部１２、１３及び左右両側対向壁部１４、１５の各上縁部に対応する表皮及び裏皮の各上縁部に縫製されている。
【００４１】
一方、下側縁取り帯は、横断面Ｕ字状に折り曲げられて、図１にて符号１８ｂにより示すごとく、前後両側対向壁部１２、１３及び左右両側対向壁部１４、１５の各下縁部に対応する表皮及び裏皮の各下縁部を、その全体に亘り挟持するようにして、縫製されている。
【００４２】
ここで、当該縫製は次のようにして行われている。即ち、下側縁取り帯１８ｂは、その一側折り曲げ部及び他側折り曲げ部にて、前後両側対向壁部１２、１３及び左右両側対向壁部１４、１５の各下縁部に対応する表皮及び裏皮の各下縁部に縫製されている。
【００４３】
また、前側対向壁部１２の半円状通り穴部１２ａに対する表皮及び裏皮の対応部位は、不織布からなる開口部用縁取り帯１８ｃによりＵ字状に挟持されて縫製されている。
【００４４】
底壁１０ｂは、上述した柔軟な生地でもって形成されており、当該底壁１０ｂは、箱体１０の下側開口部１６（周壁１０ａの下側開口部１６）を閉じるように当該下側開口部１６に取り付けられている。
【００４５】
ここで、当該底壁１０ｂは、その外周縁部にて、下側縁取り帯１８ｂの一側折り曲げ部及び他側折り曲げ部の間に挟持されるようにして、当該一側折り曲げ部及び他側折り曲げ部と共に縫製されている。これにより、当該底壁１０ｂは、箱体１０の左右両側対向壁部１４、１５を２つ折りに折り畳むに伴い、変形可能となっている。また、当該底壁１０ｂは、左右両側対向壁部１４、１５を２つ折りに伴う前後両側対向壁部１２、１３の相互の接近に伴っても、変形する。
【００４６】
プレイマット２０は、図１にて示すごとく、基端側マット部２０ａ、中側マット部２０ｂ及び先端側マット部２０ｃでもって構成されており、これら基端側マット部２０ａ、中側マット部２０ｂ及び先端側マット部２０ｃは、それぞれ、矩形板状に形成されている。
【００４７】
基端側マット部２０ａは、箱体１０の前側対向壁部１２と同一の外形形状を有しており、当該基端側マット部２０ａは、その基端部にて、箱体１０の前側対向壁部１２の下縁部からその厚さ方向に折り曲げ可能に前方へ延出している。
【００４８】
中側マット部２０ｂは、箱体１０の上側開口部１１の開口形状と同一の外形形状を有しており、当該中側マット部２０ｂは、基端側マット部２０ａの延出端部からその厚さ方向に折り曲げ可能に前方へ延出している。
【００４９】
また、先端側マット部２０ｃは、箱体１０の後側対向壁部１３と同一の外形形状を有しており、当該先端側マット部２０ｃは、中側マット部２０ｂの延出端部からその厚さ方向に折り曲げ可能に前方へ延出している。
【００５０】
本実施形態において、基端側マット部２０ａ、中側マット部２０ｂ及び先端側マット部２０ｃは、それぞれ、厚紙からなる芯板を、上述した柔軟な生地からなる表皮、裏皮及び外側縁取り帯でもって一体的に被覆して形成されている。
【００５１】
ここで、外側縁取り帯（図１にて符号２１により示す）は、横断面Ｕ字状に折り曲げられて、全外周部（基端側マット部２０ａ、中側マット部２０ｂ及び先端側マット部２０ｃの左右両側縁部、基端側マット部２０ａの基端部及び先端側マット部２０ｃの先端部）に対する表皮及び裏皮の対応部を挟持するようにして縫製されている。
【００５２】
詳細には、外側縁取り帯２１は、その一側折り曲げ部及び他側折り曲げ部にて、それぞれ、基端側マット部２０ａ、中側マット部２０ｂ及び先端側マット部２０ｃの上記全外周部に対する表皮及び裏皮の各対応部に縫製されている。
【００５３】
本実施形態では、基端側マット部２０ａの基端部に対する外側縁取り帯２１の対応部位は、箱体１０の底壁１０ｂの前縁部と一体的に縫製されている。これにより、基端側マット部２０ａは、底壁１０ｂに対しその厚さ方向へ折り曲げ可能となっている。
【００５４】
中側マット部２０ｂと基端側マット部２０ａとの境界に対する表皮及び裏皮の各対応部位及び先端側マット部２０ｃと中側マット部２０ｂとの境界に対する表皮及び裏皮の各対応部位は、それぞれ、各境界に沿い縫製されている。これに伴い、中側マット部２０ｂ及び基端側マット部２０ａの各芯板は相互に隔離されるとともに、先端側マット部２０ｃ及び中側マット部２０ｂ各芯板は相互に隔離されている。これにより、中側マット部２０ｂ及び基端側マット部２０ａはその各厚さ方向に相互に折り曲げ可能となるとともに、先端側マット部２０ｃ及び中側マット部２０ｂはその各厚さ方向に相互に折り曲げ可能となっている。
【００５５】
プレイマット２０の内面（図１にて図示上面）上には、サッカーのフィールドが図１にて示すごとく印刷されている。これに伴い、箱体１０の前側対向壁部１２の半円状通り穴部１２ａは、当該サッカーのフィールドのゴールとしての役割を果たす。なお、前側対向壁部１２の表面のうち半円状通り穴部１２ａの近傍部位には、当該半円状通り穴部１２ａが上記ゴールであることを示すような絵柄（図示しない）が印刷されている。
【００５６】
以上のように構成したプレイマット２０は、基端側マット部２０ａにて箱体１０の前側対向壁部１２をその前側から閉じ、中側対向壁部２０ｂにて箱体１０の上側開口部１１をその上側から閉じ、かつ、先端側マット部２０ｃにて、箱体１０の後側対向壁部１３をその後側から閉じるべく折り曲げられるようになっている（図３参照）。
【００５７】
ここで、先端側マット部２０ｃは、その裏面の先端部位に沿い設けた面ファスナー２２（図１参照）にて、後側対向壁部１３の外面の下端部位に沿い設けた面ファスナー（図示しない）に係合することで、後側対向壁部１３に着脱可能に固定される。なお、上述の面ファスナーとしては、例えば、マジックテープ（登録商標）が挙げられる。
【００５８】
また、本実施形態において、トイボックス１は、図２にて示すごとく、矩形状の補強板３０を備えており、当該補強板３０は、箱体１０の周壁１０ａを矩形筒状に維持するように、箱体１０内に嵌装されて底壁１０ｂ上に載置されるようになっている。
【００５９】
当該補強板３０は、底壁１０ｂと同一の外形形状を有する厚紙を芯板とし、当該芯板を表皮、裏皮及び外側縁取り帯（図２にて符号３１により示す）でもって被覆して、形成されている。なお、補強板３０の表皮、裏皮及び外側縁取り帯の材料としては、上述の柔軟な生地が採用されている。
【００６０】
しかして、外側縁取り帯３１は、Ｕ字状に折り曲げられて、その一側折り曲げ部及び他側折り曲げ部にて、補強板３０の表皮及び裏皮の各外周縁部を挟持して縫製されている。また、図２にて、符号３２は、不織布からなる短冊状の取り出し片を示しており、当該取り出し片３２は、補強板３０の一隅角部から延出している。
【００６１】
以上のように構成した本実施形態において、トイボックス１を組み立てる際には、次のようにして行う。現段階においては、トイボックス１は、図４にて示すごとく、折り畳んだ状態にあるものとする。なお、折り畳んだトイボックス１は床面上に置かれているものとする。
【００６２】
このような状態では、箱体１０が、前後両側折り畳み壁部１４ａ、１４ｂ及び前後両側折り畳み壁部１５ａ、１５ｂにて折り曲げられて折り畳まれた状態にある。また、プレイマット２０が、基端側マット部２０ａ、中側マット部２０ｂ及び先端側マット部２０ｃにて交互に折り曲げられた状態で前側対向壁部１２上に折り畳まれている。なお、補強版３０は、折り畳まれたプレイマット２０上に載置されている。
【００６３】
これにより、トイボックス１は、コンパクトな形状となり、幼児でも片付け易くなっていて、便利である。
【００６４】
しかして、幼児が、上述のように折り畳んだトイボックス１を組み立てるにあたっては、まず、補強板３０を、その取り出し片３２（図２参照）を引っ張ることで、折り畳まれたプレイマット２０から外す。
【００６５】
ついで、プレイマット２０を、基端側マット部２０ａから先端側マット部２０ｃにかけて箱体１０から外して床面上にて平面状に展開する。                                      
【００６６】
また、折り畳んだ状態にある箱体１０を、折り畳まれた状態にある前後両側折り畳み壁部１４ａ、１４ｂ及び前後両側折り畳み壁部１５ａ、１５ｂを互いに外側へ押し広げるようにして、矩形状にする。これにより、トイボックス１は、図１にて示すごとく、遊び可能な状態に組み立てられる。
【００６７】
なお、補強板３０は、箱体１０内にその上側開口部１１から挿入されて底壁１０ｂ上に載置される。これにより、箱体１０は変形したり潰れたりしないように維持され得る。
【００６８】
しかして、サッカ−遊びをする場合には、幼児が、別途片づけてあったおもちゃ用サッカーボールを、プレイマット２０の内面に印刷したサッカーフィールド上にて転がして 箱体１０の通り穴部１２ａ内に入れるように遊ぶ。
【００６９】
トイボックス１によるサッカー遊びが終了した後、幼児が当該トイボックス１を片付けるにあたっては、まず、サッカーボールや補強板３０を箱体１０の内部から取り出す。
【００７０】
ついで、箱体１０の前後両側折り畳み壁部１４ａ、１４ｂ及び前後両側折り畳み壁部１５ａ、１５ｂを互いに箱体１０内に向け押し込んで折り曲げるようにして、後側対向壁部１３を床面上に載置するとともに、前側対向壁部１２を後側対向壁部１３に向けて折り畳む。
【００７１】
然る後、プレイマット２０を基端側マット部２０ａ、中側マット部２０ｂ及び先端側マット部２０ｃの順序にて前側対向壁部１２上に折り畳む。最後に、補強板３０を折り畳んだプレイマット２０上に載置する。これにより、トイボックス１の折り畳みが図４にて示すごとく完了する。
【００７２】
また、トイボックス１内にサッカーボールを収納する場合には、遊び可能な状態にあるトイボックス１（図１参照）の箱体１０内に補強板３０とともにサッカーボールを収納した状態にて、プレイマット２０を、基端側マット部２０ａにて箱体１０の前側対向壁部１２を前側から閉じ、中側マット部２０ｂにて、箱体１０の上側開口部１１を上側から閉じ、先端側マット部２０ｃにて、箱体１０の後側対向壁部１３を後側から上述した両面ファスナーの係合のもとに閉じる。このことは、プレイマット２０が、トイボックス１の蓋部材としての役割をも果たすことを意味するとともに、トイボックス１が上述した遊び用としてだけでなく収納箱としての役割を果たすことを意味する。
【００７３】
このような収納状態にあるトイボックス１を運ぶ場合には、幼児は、両持ち手を両手でもって、トイボックス１をかかえるようにして持ち上げることで容易に運べる。
【００７４】
以上説明したように、本実施形態によれば、トイボックス１は、サッカーボール等のおもちゃを収納する収納箱としての役割に加え、プレイマット２０を利用してサッカー遊びをするお遊びツールとしての役割をも兼ね備える。
【００７５】
従って、トイボックス１によれば、別途、お遊び用のプレイマットを準備する必要もなく、幼児は、おもちゃの収納に加えて、サッカー遊びをもすることができ、非常に便利である。
【００７６】
ここで、プレイマット２０の内面上には、上述のごとくサッカーのフィールドが印刷され、箱体１０の前側対向壁部１２の通り穴部１２ａの近傍には、当該通り穴部１２ａがゴールであることが分かるような絵柄が印刷されているので、遊びに臨場感が生まれ、幼児はトイボックス１による遊びに誘導され易い。
【００７７】
また、上述のように、箱体１０及びプレイマット２０を折り畳んで、折り畳んだプレイマット２０及び補強板３０を折り畳んだ箱体１０に重ねることで、トイボックス１が、コンパクトな折り畳み状態になる。このため、当該トイボックス１を片付けるスペースが大幅に軽減され得る。
【００７８】
ここで、箱体１０及びプレイマット２０の各折り畳み手順は上述のように行うのみ故、非常に簡単である。従って、幼児でも簡単にトイボックス１の折り畳みを行うことができる。
【００７９】
なお、本発明の実施に当たり、上記実施形態に限ることなく、次のような種々の変形例が挙げられる。
（１）本発明の実施にあたり、上記実施形態では、不織布の材質として、ポリエステルを用いたが、これに限らず、ナイロンやビニロンなどの他の材質を用いてもよい。
（２）本発明の実施にあたり、上記実施形態では、トイボックス１を折り畳んだ状態は、図４にて示す状態であるが、この状態では、トイボックス１を持ち運ぶ際に、補強板３０を落としたり、箱体１０の前側対向壁部１２上に折り畳んだプレイマット２０が拡がったりすることがあるので、トイボックス１全体を、例えばゴムバンドで結束するようにしてもよい。また、トイボックス１全体を収納する収納袋を用意するようにしてもよい。
（３）本発明の実施にあたり、上記実施形態では、箱体１０に収納するおもちゃとして、サッカ−ボールを挙げ、このボールをプレイマット２０上で転がして、ゴールである通り穴部１２ａに入れる遊びを例として示したが、遊びの種類は、これに限らず、例えばミニカーをおもちゃとして収納し、このミニカーをプレイマット２０上で走らせて、トンネルまたは車庫の入り口である通り穴部１２ａに入れるという遊びでもよい。
【００８０】
この場合、プレイマット２０の内面に印刷する内容として、サッカーのフィールドに代えて、道路を採用すればよい。また、前側対向壁部１２の通り穴部１２ａ近傍に印刷する内容も、トンネルまたは車庫の入り口であることを示すものとすればよい。勿論、遊びの種類は、これ以外のものでもよい。遊びの種類が異なれば、プレイマット２０上や通り穴部１２ａ近傍に印刷する内容も、それに応じた内容になることはいうまでもない。
（４）本発明の実施にあたり、上記実施形態では、トイボックス１、特に周壁１０ａの表面は、絵や模様などで加飾されていないが、これは図示上の便宜のためであり、実際には加飾されている。
（５）本発明の実施にあたり、上記実施形態では、プレイマット２０により箱体１０を上述のように閉じた場合、その状態の維持は、面ファスナーを用いて行うようにしたが、これに限らず、スナップボタンなどの他のファスナー部材を用いてもよい。
（６）本発明の実施にあたり、上記実施形態では、左右両側対向壁部１４、１５の表面には、持ち手以外のものは備えられていないが、これに加えて、小物を入れるポケットを備えるようにしてもよい。このポケットは、不織布を当該形状に成形し左右両側対向壁部１４、１５の表面に縫い付けて作成するようにすれば、製造コストの上昇を可及的に抑制することができる。
（７）本発明の実施にあたり、上記実施形態では、前側対向壁部１２の通り穴部１２ａの形状は、半円状としたが、これに限らず、長方形状など、どのような形状のものであってもよい。
（８）本発明の実施にあたり、上記実施形態では、周壁１０ａ、プレイマット２０、板体２０ａ〜２０ｃや補強板３０の各芯板として、厚紙を採用したが、これに限らず、ＭＤＦ(medium density fiberboard；中密度繊維板)などの他の種類のものを採用してもよい。
【符号の説明】
【００８１】
１０…収納部、１０ａ…周壁、１０ｂ…底壁、１１…上側開口部、
１２ａ…通り穴部、１４ａ、１５ａ…前側折り畳み壁部、
１４ｂ、１５ｂ…後側折り畳み壁部、２０…プレイマット、
２０ａ…基端側マット部、２０ｂ…中側マット部、２０ｃ…先端側マット部、
２２…面ファスナー、３０…補強板。
【図１】
2018027160.tif 000003
【図２】
2018027160.tif 000004
【図３】
2018027160.tif 000005
【図４】
2018027160.tif 000006